(57)【要約】【課題】視聴者４が見ることのできない視聴可能範囲Ｌ１外の領域を見るために、視聴者４が受けるストレスを低減できるとともに、視聴者４が希望する所定の情報を見落としてしまう可能性も抑制できる液晶表示装置１を提供する。【解決手段】好みの視聴範囲の少なくとも一部が、視聴可能範囲Ｌ１外に存在する場合に、上記好みの視聴範囲に表示されていた画像が視聴者４の視聴可能範囲Ｌ１内となるように、外部から入力された画像信号を画像処理する。【選択図】図１
2013254080.tif 000002
【特許請求の範囲】
【請求項１】
視聴者と表示面との間の距離が所定値未満である場合に、上記視聴者の上記表示面における視聴可能範囲の大きさが、上記表示面の大きさより狭くなる表示装置であって、
上記視聴者の視聴位置から上記表示面における視聴可能範囲を算出する視聴可能範囲算出部と、
上記表示面に表示される画像情報中、上記視聴者によって、少なくとも一部が選択され、上記選択された画像情報が表示される上記表示面中の領域を好みの視聴範囲として登録するための好みの視聴範囲登録部と、
上記視聴可能範囲と好みの視聴範囲とを比較する比較部と、
上記好みの視聴範囲の少なくとも一部が、上記視聴可能範囲外に存在する場合に、上記好みの視聴範囲に表示されていた画像情報が上記視聴者の視聴可能範囲内となるように、外部から入力された画像信号を画像処理する画像処理部と、
上記画像処理された画像信号が表示される上記表示面を有する表示部と、を備えていることを特徴とする表示装置。
【請求項２】
上記画像処理部は、上記好みの視聴範囲に表示されていた画像情報が上記視聴者の視聴可能範囲内となるように、上記表示面に表示される画像を縮小することを特徴とする請求項１に記載の表示装置。
【請求項３】
上記画像処理部は、上記好みの視聴範囲に表示されていた画像情報が上記視聴者の視聴可能範囲内となるように、上記表示面に表示される画像に、上記視聴可能範囲の変化を誘導する表示を加える画像処理をすることを特徴とする請求項１に記載の表示装置。
【請求項４】
上記画像処理部は、上記好みの視聴範囲に表示されていた画像情報を上記視聴者の視聴可能範囲内に移動させて表示する画像処理をすることを特徴とする請求項１に記載の表示装置。
【請求項５】
上記視聴者の視聴位置の検出は、複数のセンサーを用いて行われることを特徴とする請求項１から４の何れか１項に記載の表示装置。
【請求項６】
上記視聴者の視聴位置の検出は、撮像素子と、上記撮像素子から得られた画像データを解析する解析部と、によって行われることを特徴とする請求項１から４の何れか１項に記載の表示装置。
【請求項７】
上記好みの視聴範囲登録部への好みの視聴範囲の登録は、外部入力装置によって行われることを特徴とする請求項１から６の何れか１項に記載の表示装置。
【請求項８】
上記外部入力装置は、リモコンであることを特徴とする請求項７に記載の表示装置。
【請求項９】
上記視聴者が上記表示面を触れることにより、入力を行うためのタッチパネルを備えていることを特徴とする請求項１から８の何れか１項に記載の表示装置。
【請求項１０】
上記好みの視聴範囲登録部への好みの視聴範囲の登録は、上記タッチパネルによって行われることを特徴とする請求項９に記載の表示装置。
【請求項１１】
上記表示面は、複数の分割された表示面が面一状に配置されて形成されていることを特徴とする請求項１から１０の何れか１項に記載の表示装置。
【請求項１２】
上記表示面には、左眼用画像と右眼用画像とからなる立体画像が表示されることを特徴とする請求項１から１１の何れか１項に記載の表示装置。
【発明の詳細な説明】
【技術分野】
【０００１】
本発明は、視聴者が比較的近距離で表示装置の表示面を見た場合に、視聴者の視聴可能視界が、上記表示装置の表示面の一部のみとなるような大型の表示面を有する表示装置に関するものである。
【背景技術】
【０００２】
近年、液晶表示装置（ＬＣＤ）、有機ＥＬ表示装置（ＯＬＥＤ）やプラズマ表示装置（ＰＤＰ）などの各種表示装置の分野においては、大型化および高精細化が進められている。
【０００３】
そして、視聴者は、このような大型で高精細な表示装置の表示面に表示される、例えば、文字情報などを比較的近距離で視聴する場合が増えている。特に、タッチパネルを備えた表示装置の場合においては、入力を行うためには視聴者が表示面を触れる必要があるので、視聴者が上記表示面を比較的近距離で視聴する場合が多い。
【０００４】
しかしながら、一般的に、大型で高精細なテレビなどの表示装置は、視聴者が表示画面全体を見渡せる様な距離を置いて視聴する事を想定しているため、上述したように、視聴者が比較的近距離で視聴すると、表示面において、視聴者の視界から外れてしまう領域が生じてしまう。
【０００５】
このような場合に、表示面に表示される画像中、視聴者が見ようとする部分が視聴者の視界から外れてしまった場合に、表示装置が大型であればある程、表示面が大きくなるので、視聴者の視界から外れた、見ようとする部分を探すにはその分、時間がかかってしまい、視聴者が見ようとする部分を見落としてしまう可能性が高くなってしまう。
【０００６】
そこで、特許文献１には、視聴者の位置に応じて、予め設定された表示項目（例えば、メニュー画面など）の表示面上の表示位置や表示サイズが自動的に設定される構成の表示装置について開示されている。
【０００７】
図１７は、特許文献１に開示されている従来の表示装置の概略的な構成を説明するための図である。
【０００８】
図１７（ａ）は、視聴者Ａが表示装置の表示面１００の右端において、比較的近距離で視聴する場合の視聴者Ａと表示面１００との位置関係を示す図である。
【０００９】
なお、図示されているように、上記表示装置には、受光レベルに基づいて視聴者Ａの視聴位置を検出するための複数のリモコン受光部１３１・１３４（表示面１００の右下部と左下部とに設けられたリモコン受光部は未図示）が備えられている。そして、リモコン受光部１３１には受光素子１３１ａ・１３１ｂが、リモコン受光部１３４には受光素子１３４ａ・１３４ｂが、それぞれ備えられている。
【００１０】
上記表示装置においては、表示面１００を視聴する視聴者Ａの位置をリモコン受光部１３１・１３４による受光レベルに基づいて検出し，その位置からメニュー画面などの予め設定された表示項目が見やすくなるように、表示面１００上の表示位置や表示サイズが自動的に設定されるようになっている。
【００１１】
図１７（ｂ）は、視聴者Ａが表示装置の表示面１００に対して、図１７（ａ）に示す位置で視聴した場合に、表示面１００に表示されるメニュー画面Ｍ１０の様子を示す図である。
【００１２】
図示されているように、メニュー画面Ｍ１０は、視聴者Ａが存在する位置である、視聴者Ａ側から見て表示装置の表示面１００の右側に寄せて表示され、視聴者Ａと表示面１００との距離が比較的近いので、表示面１００上にはメニュー画面Ｍ１０が比較的小さいサイズで表示される。
【００１３】
図１７（ｃ）は、視聴者Ａが表示装置の表示面１００の左端において、比較的遠距離で視聴する場合の視聴者Ａと表示面１００との位置関係を示す図である。
【００１４】
図１７（ｄ）は、視聴者Ａが表示装置の表示面１００に対して、図１７（ｃ）に示す位置で視聴した場合に、表示面１００に表示されるメニュー画面Ｍ１１の様子を示す図である。
【００１５】
図示されているように、メニュー画面Ｍ１１は、視聴者Ａが存在する位置である、視聴者Ａ側から見て表示装置の表示面１００の左側に寄せて表示され、視聴者Ａと表示面１００との距離が比較的遠いので、表示面１００上にはメニュー画面Ｍ１１が比較的大きなサイズで表示される。
【００１６】
特許文献１には、このような構成であるため、視聴者Ａが移動する度にメニュー画面などの表示項目の表示が見やすくなるように、新たに設定を行う煩雑な操作を省くことが可能であるとともに、大型の表示装置において好適に用いることができると記載されている。
【００１７】
一方、図１８は、特許文献２に開示されている表示面の近傍範囲に視聴者が存在することを検出する視聴者検出手段と、該視聴者検出手段での検出結果に応じて大きさを調整した画像を上記表示面に表示させる画像調整手段と、を備えているマルチディスプレイ装置を示す図である。
【００１８】
図１８（ａ）は、視聴者が表示画面全体を見渡せる様に、表示面から所定距離を置いて視聴する場合において、表示面１４０に表示される画像を示しており、図１８（ｂ）は、視聴者が表示面１４０の近くで視聴する場合において、表示面１４０に表示される画像を示している。
【００１９】
図示されているように、マルチディスプレイ装置の表示面１４０は、複数のディスプレイで構成され、各ディスプレイよりも大きな画像の一部を各ディスプレイで表示することにより、画像を表示するようになっている。
【００２０】
上記マルチディスプレイ装置には、上記視聴者検出手段と、上記画像調整手段と、が備えられているため、視聴者が表示画面全体を見渡せる様に、表示面１４０から所定距離を置いて視聴する場合においては、表示面１４０には、図１８（ａ）に示すような画像が表示され、一方、視聴者が表示面１４０の近くで視聴し、表示面１４０の一部のみが視聴可能範囲となる場合には、図１８（ｂ）に示すように画像が視聴可能範囲内のみに表示されるようになっている。
【００２１】
特許文献２には、このような構成によれば、視聴者の表示面１４０からの距離に応じて変わる視聴可能範囲内に画像の表示を行うことができると記載されている。
【先行技術文献】
【特許文献】
【００２２】
【特許文献１】特開２００９−１４７４５５号公報（２００９年７月２日公開）
【特許文献２】特開２０１２−５８４７５号公報（２０１２年３月２２日公開）
【発明の概要】
【発明が解決しようとする課題】
【００２３】
図１９は、視聴者Ａの視聴位置に応じて、視聴可能範囲Ｌ１が変わる様子を示す図である。
【００２４】
図１９（ａ）は、視聴者Ａが表示装置１５０の表示面１５１全体を見渡せる様に、表示面１５１から所定距離を置いて視聴する場合における、視聴可能範囲Ｌ１を示しており、図１９（ｂ）は、視聴者Ａが表示装置１５０の表示面１５１の近くで視聴する場合であって、視聴可能範囲Ｌ１が表示面１５１のサイズより小さくなっている場合を示している。
【００２５】
図示されているように、視聴者Ａが表示装置１５０の表示面１５１から近い位置で視聴する程、視聴可能範囲Ｌ１は狭くなる。
【００２６】
しかしながら、図２０に図示されているように、上記特許文献１に開示されている構成においては、視聴者Ａが表示装置１５０の表示面１５１の近くで視聴する場合であって、視聴可能範囲Ｌ１が表示面１５１のサイズより小さくなっている場合、表示項目（例えば、メニュー画面など）については、視聴可能範囲Ｌ１内に表示されるようになっているが、表示項目（例えば、メニュー画面など）以外に表示面１５１に表示される画像については、何の考慮もされてないため、視聴可能範囲Ｌ１外の表示面１５１に表示される画像は視聴者Ａの視界から外れる。
【００２７】
表示装置１５０の大型化に伴い、表示面１５１のサイズは大きくなるが、視聴可能範囲Ｌ１は、視聴者Ａの表示面１５１からの距離が一定である場合、そのサイズが一定である。
【００２８】
したがって、上記特許文献１に開示されている構成においては、表示装置１５０の大型化に伴い、視聴可能範囲Ｌ１外の表示面１５１のサイズも大きくなるので、視聴者Ａは、視聴可能範囲Ｌ１外の表示面１５１に表示された画像から所定の希望する情報を探し出すには、眼や首を動かす必要があるのでストレスが生じるとともに、時間がかかってしまい、所定の希望する情報を見落としてしまう可能性も高いので問題となる。
【００２９】
そして、上記特許文献２に開示されている構成においては、図１８に図示されているように、視聴者があまり関心のない画像の一部が視聴可能範囲から外れた場合にも、視聴者が関心のある画像を含む表示面１４０に表示された画像全体が、視聴可能範囲内に表示されるように縮小するようになっているため、視聴者が関心のある画像が視聴可能範囲内に表示されている場合でも、縮小された画像が表示されるので、かえって視聴者はストレスを受けるとともに、所定の希望する情報を見落としてしまう可能性も高くなってしまうという問題がある。
【００３０】
本発明は、上記の問題点に鑑みてなされたものであり、視聴者が見ることのできない視聴可能範囲外の領域を見るために、視聴者が受けるストレスを低減できるとともに、視聴者が希望する所定の情報を見落としてしまう可能性も抑制できる表示装置を提供することを目的とする。
【課題を解決するための手段】
【００３１】
本発明の表示装置は、上記の課題を解決するために、視聴者と表示面との間の距離が所定値未満である場合に、上記視聴者の上記表示面における視聴可能範囲の大きさが、上記表示面の大きさより狭くなる表示装置であって、上記視聴者の視聴位置から上記表示面における視聴可能範囲を算出する視聴可能範囲算出部と、上記表示面に表示される画像情報中、上記視聴者によって、少なくとも一部が選択され、上記選択された画像情報が表示される上記表示面中の領域を好みの視聴範囲として登録するための好みの視聴範囲登録部と、上記視聴可能範囲と好みの視聴範囲とを比較する比較部と、上記好みの視聴範囲の少なくとも一部が、上記視聴可能範囲外に存在する場合に、上記好みの視聴範囲に表示されていた画像情報が上記視聴者の視聴可能範囲内となるように、外部から入力された画像信号を画像処理する画像処理部と、上記画像処理された画像信号が表示される上記表示面を有する表示部と、を備えていることを特徴としている。
【００３２】
上記構成によれば、上記好みの視聴範囲に表示されていた画像情報が上記視聴者の視聴可能範囲内となるように、外部から入力された画像信号を画像処理して、上記表示面に表示するので、視聴者が見ることのできない視聴可能範囲外の領域を見るために、視聴者が受けるストレスを低減できるとともに、視聴者が希望する所定の情報を見落としてしまう可能性も抑制できる表示装置を実現できる。
【００３３】
本発明の表示装置において、上記画像処理部は、上記好みの視聴範囲に表示されていた画像情報が上記視聴者の視聴可能範囲内となるように、上記表示面に表示される画像を縮小する構成であってもよい。
【００３４】
本発明の表示装置において、上記画像処理部は、上記好みの視聴範囲に表示されていた画像情報が上記視聴者の視聴可能範囲内となるように、上記表示面に表示される画像に、上記視聴可能範囲の変化を誘導する表示を加える画像処理をする構成であってもよい。
【００３５】
本発明の表示装置において、上記画像処理部は、上記好みの視聴範囲に表示されていた画像情報を上記視聴者の視聴可能範囲内に移動させて表示する画像処理をする構成であってもよい。
【００３６】
上記構成によれば、視聴者が登録した好みの視聴範囲は常に、視聴者の視聴位置に応じて変わる視聴可能範囲内に表示されるか、または、視聴者が登録した好みの視聴範囲が視聴者の視聴位置に応じて変わる視聴可能範囲内に含まれるように、上記視聴可能範囲の変化を誘導するようになっているので、視聴者が見ることのできない視聴可能範囲外の領域を見るために、視聴者が受けるストレスを低減できるとともに、視聴者が希望する所定の情報を見落としてしまう可能性も抑制できる表示装置を実現できる。
【００３７】
本発明の表示装置において、上記視聴者の視聴位置の検出は、複数のセンサーを用いて行われることが好ましい。
【００３８】
本発明の表示装置において、上記視聴者の視聴位置の検出は、撮像素子と、上記撮像素子から得られた画像データを解析する解析部と、によって行われでもよい。
【００３９】
本発明の表示装置において、上記好みの視聴範囲登録部への好みの視聴範囲の登録は、外部入力装置によって行われでもよい。
【００４０】
本発明の表示装置において、上記外部入力装置は、リモコンであってもよい。
【００４１】
本発明の表示装置は、上記視聴者が上記表示面を触れることにより、入力を行うためのタッチパネルを備えている構成であってもよい。
【００４２】
タッチパネルを備えた表示装置においては、視聴者が表示面から近距離で入力操作を行う場合が多いため、視聴可能範囲が表示面より狭くなる場合が多いので、本発明の構成は、このような表示装置により好適に用いることができる。
【００４３】
本発明の表示装置において、上記好みの視聴範囲登録部への好みの視聴範囲の登録は、上記タッチパネルによって行われる構成であってもよい。
【００４４】
本発明の表示装置において、上記表示面は、複数の分割された表示面が面一状に配置されて形成されていてもよい。
【００４５】
表示面がマルチ画面で構成される場合、比較的に表示面のサイズを大きくすることができるので、視聴可能範囲外の表示面も大きくなるため、本発明の構成をより好適に用いることができる。
【００４６】
本発明の表示装置において、上記表示面には、左眼用画像と右眼用画像とからなる立体画像が表示される構成であってもよい。
【００４７】
一般的に、立体画像（３Ｄ画像）を表示する表示装置は、その表示面が大きいことが好ましいことから、本発明の構成は、このような表示装置により好適に用いることができる。
【発明の効果】
【００４８】
本発明の表示装置は、以上のように、上記視聴者の視聴位置から上記表示面における視聴可能範囲を算出する視聴可能範囲算出部と、上記表示面に表示される画像情報中、上記視聴者によって、少なくとも一部が選択され、上記選択された画像情報が表示される上記表示面中の領域を好みの視聴範囲として登録するための好みの視聴範囲登録部と、上記視聴可能範囲と好みの視聴範囲とを比較する比較部と、上記好みの視聴範囲の少なくとも一部が、上記視聴可能範囲外に存在する場合に、上記好みの視聴範囲に表示されていた画像情報が上記視聴者の視聴可能範囲内となるように、外部から入力された画像信号を画像処理する画像処理部と、上記画像処理された画像信号が表示される上記表示面を有する表示部と、を備えている構成である。
【００４９】
それゆえ、視聴者が見ることのできない視聴可能範囲外の領域を見るために、視聴者が受けるストレスを低減できるとともに、視聴者が希望する所定の情報を見落としてしまう可能性も抑制できる表示装置を実現することできる。
【図面の簡単な説明】
【００５０】
【図１】本発明の一実施の形態の液晶表示装置の概略構成と、液晶表示装置を視聴する視聴者と、を示す図である。
【図２】本発明の一実施の形態の液晶表示装置において、どのように画像処理が行われるかを説明するためのブロック図である。
【図３】本発明の一実施の形態の液晶表示装置において、視聴者が好みの視聴範囲を設定する一例を示す図である。
【図４】本発明の一実施の形態の液晶表示装置において、視聴者が登録した好みの視聴範囲の少なくとも一部が、視聴者の視聴位置に応じて変わる視聴可能範囲から外れた場合を示す図である。
【図５】本発明の一実施の形態の液晶表示装置において、外部から入力される画像信号を画像処理部で、好みの視聴範囲に表示されていた画像が視聴者の視聴可能範囲内となるように、画像処理されて表示面に表示された画像を示す図である。
【図６】本発明の一実施の形態の液晶表示装置において、視聴者の視聴位置に応じて、視聴可能範囲が変わる様子を示す図である。
【図７】本発明の一実施の形態の液晶表示装置において、視聴者が登録した好みの視聴範囲が、視聴者の視聴位置に応じて変わる視聴可能範囲内にある場合を示す図である。
【図８】本発明の一実施の形態の液晶表示装置において、視聴者が登録した好みの視聴範囲が、視聴者の視聴位置に応じて変わる視聴可能範囲内にある場合に、表示面に表示される画像を示す図である。
【図９】表示面がマルチ画面からなる本発明の一実施の形態の液晶表示装置の変形例を示す図である。
【図１０】本発明の他の一実施の形態の液晶表示装置において、視聴者が好みの視聴範囲を設定する一例を示す図である。
【図１１】本発明の他の一実施の形態の液晶表示装置において、視聴者が登録した好みの視聴範囲が、視聴者の視聴位置に応じて変わる視聴可能範囲から外れた場合を示す図である。
【図１２】本発明の他の一実施の形態の液晶表示装置において、視聴者が視聴可能範囲から外れた好みの視聴範囲を探すのを助けるため、好みの視聴範囲の近傍に、カーソルを表示した場合を示す図である。
【図１３】本発明の他の一実施の形態の液晶表示装置において、視聴者の視聴可能範囲の変化を誘導するため、カーソルの代わりに他の手段を用いた場合を示す図である。
【図１４】本発明の他の一実施の形態の液晶表示装置において、視聴者が登録した好みの視聴範囲が、視聴者の視聴位置に応じて変わる視聴可能範囲内にある場合に、表示面に表示される画像を示す図である。
【図１５】本発明のさらに他の一実施の形態の液晶表示装置において、好みの視聴範囲として登録した表示面に表示される画像中、最も重要な情報に関するラップタイム（Ｌａｐｔｉｍｅ）状況の画像のみを移動させ、視聴可能範囲内に収まるように画像処理して表示面に表示する画像を示す図である。
【図１６】本発明のさらに他の一実施の形態の液晶表示装置において、視聴者の視聴位置の変化を誘導し、視聴可能範囲を変化させる場合を説明するための図である。
【図１７】特許文献１に開示されている従来の表示装置の概略的な構成を説明するための図である。
【図１８】特許文献２に開示されているマルチディスプレイ装置を示す図である。
【図１９】視聴者の視聴位置に応じて、視聴可能範囲が変わる様子を示す図である。
【図２０】上記特許文献１に開示されている構成において、視聴可能範囲外の表示面に表示される画像が視聴者の視界から外れる場合を示す図である。
【発明を実施するための形態】
【００５１】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００５２】
なお、以下の実施の形態においては、表示装置の一例として、液晶表示パネルが備えられている液晶表示装置を挙げるが、視聴者の視聴位置から視聴可能範囲を算出できるのであれば、これに限定されることはなく、有機ＥＬ表示装置（ＯＬＥＤ）やプラズマ表示装置（ＰＤＰ）などの表示装置であってもよい。
【００５３】
〔実施の形態１〕
以下、図１から図８に基づいて、本発明の第１の実施形態について説明する。
【００５４】
図１は、液晶表示装置１の概略構成と、液晶表示装置１を視聴する視聴者４と、を示す図である。
【００５５】
図示されているように、液晶表示装置１には、画像（画像情報）を表示する表示面２と、視聴者４の視聴位置を検出するためのセンサー３ａ・３ｂ・３ｃ・３ｄ・３ｅ・３ｆと、が備えられている。
【００５６】
本実施の形態においては、視聴者４の視聴位置を検出するためのセンサーとして、赤外光センサーを表示面２の上側に３個、表示面２の下側に３個ずつ配置しているが、センサーの種類や個数はこれに限定されることはなく、例えば、センサーとして撮像素子などを用いることもできる。
【００５７】
上記赤外光センサーには、赤外光を出射する出射部と、視聴者４に反射された赤外光を受光する受光部と、が備えられている。
【００５８】
視聴者４の視聴位置によって、各々の赤外光センサーにおける受光部での受光量が異なるため、これらの赤外光センサーを用いて視聴者４の視聴位置を検出することができる。
【００５９】
なお、センサーとして撮像素子を用いる場合には、上記各々の撮像素子から得られた画像データを解析する解析部で、得られる画像データを比較分析して、視聴者４の視聴位置を検出することができる。
【００６０】
そして、図１は、視聴者４の視聴可能範囲Ｌ１と、表示面２のサイズと、が略一致する視聴位置から視聴者４が液晶表示装置１を視聴している場合を示す。
【００６１】
リモコン５（外部入力装置）は、液晶表示装置１を無線で操作するためのものであり、例えば、チャンネルの選択や音声調整などができるとともに、詳しくは後述する好みの視聴範囲を選択する機能を有している。
【００６２】
図２は、液晶表示装置１において、どのように画像処理が行われるかを説明するためのブロック図である。
【００６３】
図示されているように、センサー部３によって得られた受光量データに基づいて、視聴者座標検出部６では、視聴者４の視聴位置（座標）を検出する。
【００６４】
そして、視聴者座標毎の視聴可能範囲データ格納部７には、予め、視聴者４の視聴位置（座標）毎における視聴可能範囲に関するデータが格納されている。
【００６５】
視聴可能範囲算出部８では、視聴者座標検出部６からの視聴者４の視聴位置（座標）と、視聴者座標毎の視聴可能範囲データ格納部７からのデータと、に基づいて、視聴者４の視聴可能範囲を算出することができる。
【００６６】
そして、視聴者４は外部入力手段であるリモコンを用いて、表示面２に表示される画像の少なくとも一部を好みの視聴範囲として、好みの視聴範囲登録部９に登録することができる。
【００６７】
それから、比較部１０においては、好みの視聴範囲と、視聴者４の視聴位置に応じて変わる視聴可能範囲と、の比較を行い、好みの視聴範囲が視聴可能範囲から外れている場合には、外部から入力される画像信号を画像処理部１１で、好みの視聴範囲に表示されていた画像が視聴者４の視聴可能範囲内となるように、画像処理して表示面２に表示するようになっている。
【００６８】
一方、好みの視聴範囲が視聴可能範囲内である場合には、上記画像処理は不要となる。
【００６９】
なお、本実施の形態においては、好みの視聴範囲が視聴可能範囲から外れている場合には、外部から入力される画像信号を画像処理部１１で、好みの視聴範囲に表示されていた画像が視聴者４の視聴可能範囲内となるように、画像を縮小し、視聴可能範囲内に収まるように画像処理して表示面２に表示したが、好みの視聴範囲に表示されていた画像が視聴者４の視聴可能範囲内となるようにする画像処理は、これに限定されることはない。
【００７０】
なお、本実施の形態においては、リモコンを用いて、表示面２に表示される画像の少なくとも一部を好みの視聴範囲として、好みの視聴範囲登録部９に登録する場合を説明したが、液晶表示装置１にタッチパネル機能が備えられている場合には、視聴者４が表示面２を直接タッチして、好みの視聴範囲の登録を行うこともできる。
【００７１】
また、本実施の形態においては、視聴者座標毎の視聴可能範囲データ格納部７には、予め、視聴者４の視聴位置（座標）毎における視聴可能範囲に関するデータが格納されている場合を説明したが、このデータは、使用開始前に、視聴者４によって調整する事も可能である。例えば、調整モードを設け、視聴距離に応じて液晶表示装置１の表示面２に、サイズの違った画面を表示して見える範囲を視聴者４に設定してもらいデータとして記憶しておく事も可能である。
【００７２】
図３は、視聴者４が好みの視聴範囲Ｌ２を設定する一例を示す図である。
【００７３】
図３（ａ）は、視聴者４によって、表示面２に表示される画像全体を好みの視聴範囲Ｌ２として登録した場合を示しており、図３（ｂ）は、野球放送などのスポーツ放送において、表示面２に表示される画像中、最も重要な情報であるスコア状況に関する画像が表示される領域を好みの視聴範囲Ｌ２として、登録した場合を示す図である。
【００７４】
図４は、視聴者４が登録した好みの視聴範囲Ｌ２の少なくとも一部が、視聴者４の視聴位置に応じて変わる視聴可能範囲Ｌ１から外れた場合を示す図である。
【００７５】
図４（ａ）は、好みの視聴範囲Ｌ２として登録した表示面２に表示される画像全体の一部が、視聴可能範囲Ｌ１から外れた場合を示しており、図４（ｂ）は、好みの視聴範囲Ｌ２として登録した表示面２に表示される画像中、最も重要な情報であるスコア状況に関する画像が、視聴可能範囲Ｌ１から外れた場合を示している。
【００７６】
図５は、外部から入力される画像信号を画像処理部１１で、好みの視聴範囲Ｌ２に表示されていた画像が視聴者４の視聴可能範囲Ｌ１内となるように、画像処理されて表示面２に表示された画像を示す図である。
【００７７】
図４（ａ）に示した場合のように、好みの視聴範囲Ｌ２として登録した表示面２に表示される画像全体の一部が、視聴可能範囲Ｌ１から外れた場合、図５に図示されているように、外部から入力される画像信号は画像処理部１１で、好みの視聴範囲Ｌ２に表示されていた画像が視聴者４の視聴可能範囲Ｌ１内となるように、画像を縮小し、視聴可能範囲Ｌ１内に収まるように画像処理して表示面２に表示する。
【００７８】
一方、図４（ｂ）に示した場合においては、後述する実施の形態３において説明するように、好みの視聴範囲Ｌ２として登録した表示面２に表示される画像中、最も重要な情報であるスコア状況に関する画像のみを縮小し、視聴可能範囲Ｌ１内に収まるように画像処理して表示面２に表示する。
【００７９】
図６は、視聴者４の視聴位置に応じて、視聴可能範囲Ｌ１が変わる様子を示す図である。
【００８０】
図示されているように、視聴者４の視聴位置が表示面２に近づくに連れて視聴可能範囲Ｌ１は狭くなる。
【００８１】
したがって、液晶表示装置１においては、視聴者４の視聴位置が表示面２に近づくに連れて視聴可能範囲Ｌ１が狭くなるので、画像の縮小率が高くなる。
【００８２】
図７は、視聴者４が登録した好みの視聴範囲Ｌ２が、視聴者４の視聴位置に応じて変わる視聴可能範囲Ｌ１内にある場合を示す図である。
【００８３】
図７（ａ）は、好みの視聴範囲Ｌ２として登録した表示面２に表示される画像全体の一部が、視聴可能範囲Ｌ１内にある場合を示しており、図７（ｂ）は、好みの視聴範囲Ｌ２として登録した表示面２に表示される画像中、最も重要な情報であるスコア状況に関する画像が、視聴可能範囲Ｌ１内にある場合を示している。
【００８４】
図８は、図７に示すように、視聴者４が登録した好みの視聴範囲Ｌ２が、視聴者４の視聴位置に応じて変わる視聴可能範囲Ｌ１内にある場合に、表示面２に表示される画像を示す図である。
【００８５】
視聴者４が全画面を視聴できる位置で視聴している場合、画面サイズの変更などはかえって、視聴者４にストレスを与えることとなるので、このような画像処理は行わない。
【００８６】
このような液晶表示装置１によれば、視聴者４が登録した好みの視聴範囲Ｌ２は常に、視聴者４の視聴位置に応じて変わる視聴可能範囲Ｌ１内に表示されるので、視聴者４が見ることのできない視聴可能範囲Ｌ１外の領域を見るために、視聴者４が受けるストレスを低減できるとともに、視聴者４が希望する所定の情報を見落としてしまう可能性も抑制できる。
（変形例）
図９は、液晶表示装置２０の表示面２１を示す図である。
【００８７】
図示されているように表示面２１は、複数の分割された表示面が面一状に配置されて形成されたマルチ画面となっている。
【００８８】
このように表示面が複数の液晶表示パネルを用いたマルチ画面で構成される場合、比較的に表示面のサイズを大きくすることができるので、視聴可能範囲Ｌ１外の表示面も大きくなるため、本発明の構成をより好適に用いることができる。
【００８９】
なお、図示は省略するが、本実施の形態の液晶表示装置の表示面には、左眼用画像と右眼用画像とからなる立体画像（３Ｄ画像）が表示される構成であってもよい。
【００９０】
一般的に、３Ｄ画像表示装置は、その表示面が大きいことが好ましいことから、本発明の構成は、３Ｄ画像表示装置により好適に用いることができる。
【００９１】
〔実施の形態２〕
次に、図１０から図１４に基づいて、本発明の第２の実施形態について説明する。本実施の形態においては、液晶表示装置に備えられた画像処理部は、好みの視聴範囲に表示されていた画像が視聴者の視聴可能範囲内となるように、表示面に表示される画像に、上記視聴可能範囲の変化を誘導する表示を加える画像処理をする点において実施の形態１とは異なっている。その他の構成については実施の形態１において説明したとおりである。説明の便宜上、上記の実施の形態１の図面に示した部材と同じ機能を有する部材については、同じ符号を付し、その説明を省略する。
【００９２】
図１０は、視聴者４が好みの視聴範囲Ｌ２を設定する他の一例を示す図である。
【００９３】
図示されているように、カーレースなどの放送において、表示面２に表示される画像中、最も重要な情報であるラップタイム（Ｌａｐｔｉｍｅ）状況に関する画像が表示される領域を好みの視聴範囲Ｌ２として、登録した場合を示す図である。
【００９４】
図１１は、視聴者４が登録した好みの視聴範囲Ｌ２が、視聴者４の視聴位置に応じて変わる視聴可能範囲Ｌ１から外れた場合を示す図である。
【００９５】
図１２は、視聴者４が登録した好みの視聴範囲Ｌ２が、視聴者４の視聴位置に応じて変わる視聴可能範囲Ｌ１から外れた場合において、視聴者４が視聴可能範囲Ｌ１から外れた好みの視聴範囲Ｌ２を探すのを助けるため、好みの視聴範囲Ｌ２の近傍に、カーソル１２（Ｃｕｒｓｏｒ）を表示した場合を示す図である。
【００９６】
本来、表示面２が大きい場合、視聴者４が視聴可能範囲Ｌ１から外れた好みの視聴範囲Ｌ２、この場合、ラップタイム（Ｌａｐｔｉｍｅ）状況を探し出すには、時間がかかってしまい、視聴者４が所定の希望する情報を見落としてしまう可能性も高いので問題であった。
【００９７】
したがって、本実施の形態においては、好みの視聴範囲Ｌ２であるラップタイム（Ｌａｐｔｉｍｅ）状況の近傍に、カーソル１２（Ｃｕｒｓｏｒ）を表示し、視聴者４がラップタイム（Ｌａｐｔｉｍｅ）状況を早く探し出せるようにしている。
【００９８】
すなわち、カーソル１２（Ｃｕｒｓｏｒ）を表示することによって、視聴者４の視聴可能範囲Ｌ１が好みの視聴範囲Ｌ２を含むように変化するのを誘導している。
【００９９】
なお、必要に応じて、カーソル１２は色を変えたり、点滅するようにしてもよい。
【０１００】
図１３は、視聴者４の視聴可能範囲Ｌ１の変化を誘導するため、カーソル１２（Ｃｕｒｓｏｒ）の代わりに他の手段を用いた場合を示す図である。
【０１０１】
図１３（ａ）は、視聴者４の視聴可能範囲Ｌ１の変化を誘導するため、カーソル１２（Ｃｕｒｓｏｒ）の代わりに色枠が用いられた場合を示しており、図１３（ｂ）は、視聴者４の視聴可能範囲Ｌ１の変化を誘導するため、カーソル１２（Ｃｕｒｓｏｒ）の代わりに文字情報である、例えば、注目などの文字が用いられた場合を示している。
【０１０２】
図１４は、視聴者４が登録した好みの視聴範囲Ｌ２が、視聴者４の視聴位置に応じて変わる視聴可能範囲Ｌ１内にある場合に、表示面２に表示される画像を示す図である。
【０１０３】
図示されているように、視聴者４が全画面を視聴できる位置で視聴している場合、画面サイズの変更などはかえって、視聴者４にストレスを与えることとなるので、このような画像処理は行わない。
【０１０４】
このような構成によれば、視聴者４がラップタイム（Ｌａｐｔｉｍｅ）状況を探すのに時間がかかってしまい受けるストレスを低減できるとともに、視聴者４が希望する所定の情報を見落としてしまう可能性も抑制できる。
【０１０５】
〔実施の形態３〕
次に、図１５に基づいて、本発明の第３の実施形態について説明する。本実施の形態においては、液晶表示装置に備えられた画像処理部は、好みの視聴範囲Ｌ２として登録した表示面２に表示される画像中、最も重要な情報に関する画像のみを、視聴可能範囲Ｌ１内に収まるように画像処理して表示面２に表示する点において実施の形態１および２とは異なっている。その他の構成については実施の形態１および２において説明したとおりである。説明の便宜上、上記の実施の形態１および２の図面に示した部材と同じ機能を有する部材については、同じ符号を付し、その説明を省略する。
【０１０６】
図１５は、視聴者４が登録した好みの視聴範囲Ｌ２が、視聴者４の視聴位置に応じて変わる視聴可能範囲Ｌ１から外れた場合に、好みの視聴範囲Ｌ２として登録した表示面２に表示される画像中、最も重要な情報に関するラップタイム（Ｌａｐｔｉｍｅ）状況の画像のみを移動させ、視聴可能範囲Ｌ１内に収まるように画像処理して表示面２に表示する画像を示す図である。
【０１０７】
このような構成によれば、視聴者４が登録した好みの視聴範囲Ｌ２は、視聴者４の視聴位置に応じて変わる視聴可能範囲Ｌ１内に常に表示されることとなるので、視聴者４がラップタイム（Ｌａｐｔｉｍｅ）状況を探すのに時間がかかってしまい受けるストレスを低減できるとともに、視聴者４が希望する所定の情報を見落としてしまう可能性も抑制できる。
【０１０８】
〔実施の形態４〕
次に、図１６に基づいて、本発明の第４の実施形態について説明する。本実施の形態においては、液晶表示装置に備えられた画像処理部は、表示面２に文字情報を表示し、視聴者４の視聴位置の変化を誘導し、視聴可能範囲を変化させる点において実施の形態１から３とは異なっている。その他の構成については実施の形態１から３において説明したとおりである。説明の便宜上、上記の実施の形態１から３の図面に示した部材と同じ機能を有する部材については、同じ符号を付し、その説明を省略する。
【０１０９】
図１６は、視聴者４が登録した好みの視聴範囲Ｌ２が、視聴者４の視聴位置に応じて変わる視聴可能範囲Ｌ１から外れた場合に、視聴者４の視聴位置の変化を誘導し、視聴可能範囲Ｌ１を変化させる場合を説明するための図である。
【０１１０】
図示されているように、視聴者４が登録した好みの視聴範囲Ｌ２が、視聴者４の視聴位置に応じて変わる視聴可能範囲Ｌ１から外れた場合に、表示面２に文字情報として、『もう少し後ろに下がって下さい。』を表示し、視聴者４の視聴位置を後ろに下がらせることにより、視聴可能範囲Ｌ１を広げるようにしている。
【０１１１】
このような構成によれば、視聴者４の視聴位置に応じて変わる視聴可能範囲Ｌ１から外れた好みの視聴範囲Ｌ２を、視聴者４が探すのに時間がかかってしまい受けるストレスを低減できるとともに、視聴者４が希望する所定の情報を見落としてしまう可能性も抑制できる。
【０１１２】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１１３】
本発明は、視聴者が比較的近距離で表示装置の表示面を見た場合に、視聴者の視聴可能視界が、上記表示装置の表示面の一部のみとなるような大型の表示面を有する表示装置に好適に用いることができる。
【符号の説明】
【０１１４】
１                液晶表示装置
２                表示面
３                センサー部
３ａ、３ｂ、３ｃ  センサー（赤外光センサー）
３ｄ、３ｅ、３ｆ  センサー（赤外光センサー）
４                視聴者
５                リモコン
６                視聴者座標検出部
７                データ格納部
８                視聴可能範囲算出部
９                好みの視聴範囲登録部
１０              比較部
１１              画像処理部
１２              カーソル
２０              液晶表示装置
２１              マルチ画面からなる表示面
Ｌ１              視聴可能範囲
Ｌ２              好みの視聴範囲
【図１】
2013254080.tif 000003
【図２】
2013254080.tif 000004
【図３】
2013254080.tif 000005
【図４】
2013254080.tif 000006
【図５】
2013254080.tif 000007
【図６】
2013254080.tif 000008
【図７】
2013254080.tif 000009
【図８】
2013254080.tif 000010
【図９】
2013254080.tif 000011
【図１０】
2013254080.tif 000012
【図１１】
2013254080.tif 000013
【図１２】
2013254080.tif 000014
【図１３】
2013254080.tif 000015
【図１４】
2013254080.tif 000016
【図１５】
2013254080.tif 000017
【図１６】
2013254080.tif 000018
【図１７】
2013254080.tif 000019
【図１８】
2013254080.tif 000020
【図１９】
2013254080.tif 000021
【図２０】
2013254080.tif 000022